(57)【特許請求の範囲】
【請求項１】
上水道に接続され従業員が平常時に使用する水道水を循環させる地下上水タンクを設け、該地下上水タンクに貯められた水を災害時に飲料水として汲み上げる手動ポンプを設け、集水装置で集めた雨水を貯めると共に前記上水からの不足分の補水を貯める地下用水タンクを設け、該地下用水タンクから平常時に使用する洗車、トイレあるいは撒水用の給水として汲み上げる揚水ポンプを設け、かつ災害時には前記地下用水タンクに貯められた水を防火用水、生活用水として使用することを特徴とする給油所。
【請求項２】
前記地下用水タンクは、その内部の水位を一定位置に保つフロート弁を介して配管で前記地下上水タンクに接続されている請求項１記載の給油所。
【発明の詳細な説明】
【０００１】
【発明が属する技術分野】
本発明は、防災時に不可欠な水を確保できる防災対応型の給油所に関するものである。
【０００２】
【従来の技術】
近年の大地震では、災害直後のライフラインの被害により、電力、ガス、水道の供給が停止すると共に、通信が機能しなくなったため、外部からの供給体制が整うまで各所において被害が拡大することがあった。特に、震災時の防火用水や生活用水の確保が極めて重要であった。
【０００３】
【発明が解決しようとする課題】
ところで、給油所は、震災時の災害にも比較的強く、地域に密着しており、同時に分散立地しているため、防災時に不可欠な水を確保し、地域支援に役立つ防災対応の中心としての活用が注目されている。また、雨水を利用したり洗車排水を再利用し水の省資源化を図れることが望ましい。
【０００４】
そこで本発明は、防災時に不可欠な水を確保すると共に、地域支援に役立てることができ、かつ水の省資源化を図ることができる給油所を提供することを目的とする。
【０００５】
【課題を解決するための手段】
上記目的を達成するために、本発明の給油所は、上水道に接続され従業員が平常時に使用する水道水を循環させる地下上水タンクを設け、該地下上水タンクに貯められた水を災害時に飲料水として汲み上げる手動ポンプを設け、集水装置で集めた雨水を貯めると共に前記上水からの不足分の補水を貯める地下用水タンクを設け、該地下用水タンクから平常時に使用する洗車、トイレあるいは撒水用の給水として汲み上げる揚水ポンプを設け、かつ災害時には前記地下用水タンクに貯められた水を防火用水、生活用水として使用するものである。地下用水タンクは、災害時にその水を手動ポンプで汲み上げ飲料水として使用でき、また地下用水タンクは、災害時に雨水や上水からの不足分の補水を防火用水、生活用水として使用できることで、防災時に不可欠な水を確保し、地域支援に役立てることができ、かつ水の省資源化を図ることができる。
【０００６】
前記地下用水タンクは、その内部の水位を一定位置に保つフロート弁を介して配管で前記地下上水タンクに接続されていることが、地下用水タンクの水位を常に一定位置に保ち災害時に備えることができる点で好ましい。
【０００７】
【発明の実施の形態】
以下、本発明を図示の実施形態により具体的に説明する。図１は本発明実施形態の給油所の全体構成を説明する系統図、図２は本発明実施形態の給油所の水供給を中心に説明する詳細系統図である。
【０００８】
これらの図において、本実施形態の給油所１０は、その敷地１１の上部に事務所１２、キャノピ１３、給油機１４、洗車機１５及び水を汲み上げる揚水ポンプ１６等が設けられ、敷地１１の下部に地下油タンク１７、地下上水タンク１８及び地下用水タンク１９が設けられている。給油機１４の給油機構は吸入管２０に接続され地下油タンク１７内に連通されている。
【０００９】
上記キャノピ１３の上部には太陽電池２１が配置され、この太陽電池２１は、事務所１２に隣接した格納所等に配置されたバッテリ２２とインバータ２３に配線で接続されている。このインバータ２３は、太陽電池２１で得られた直流電圧を交流電圧に変換する部分であり、分電盤２４を通って事務所１２内のＰＯＳ端末２５、照明２６、給油機１４、揚水ポンプ１６等に配線で接続されている。すなわち、災害時等でも太陽電池２１からバッテリ２２に蓄電された電力を使用することができるようになっている。また、キャノピ１３は、雨水を集めるための集水装置２７を備えている。
【００１０】
上記地下上水タンク１８は、平常時は水道水を循環させ、震災時等の緊急時に上水道が断たれても数日間は新鮮な飲料水として使用できるようにするためのもので、例えば、７５リットル程度の容量の小型タンクである。この地下上水タンク１８は、平常時の使用ために配管により洗面所、勝手あるいはシャワー等に接続され、また配管により災害時に飲料水として汲み上げるための手動ポンプ２８に接続され、さらに地下用水タンク１９の水が不足した時に補給できるように配管で接続されている。
【００１１】
上記地下用水タンク１９は、その水を平常時は洗車水、トイレ用の水あるいは撒水として使用し、震災時等の緊急時に防火用水、トイレ用の水として使用できるようにするためのもので、例えば、２０キロリットル程度の容量の大型タンクである。この地下用水タンク１９は、集水装置２７で集められた雨水が供給されるように配管され、かつその水位を一定位置にするため不足時に補水されるようフロート弁３１を介して配管で地下上水タンク１８に接続されている。また、地下用水タンク１９は、揚水ポンプ１６で汲み上げられるよう配管され、かつ火災時に消防車等で汲み上げられるようにマンポール３２が設けられている。地下用水タンク１９から揚水ポンプ１６で汲み上げられた水は、補助タンク３３に貯められてから、洗車機１５、トイレ、撒水器等に供給されるよう配管されている。この補助タンク３３内には、圧力センサ３４が設けられ、水位が一定レベル以下になって補助タンク３３内の圧力が下がったときに、揚水ポンプ１６が駆動されて地下用水タンク１９から汲み上げられるようになっている。
【００１２】
洗車機１５で使用された排水は、洗車廃水リサイクルシステム３５で清浄にされた後、再び洗車用水として使用される。
【００１３】
上記構成の給油所１０では、平常時において、上水道から地下上水タンク１８に供給された水は、洗面所、勝手あるいはシャワー等で従業員が必要とする生活用水として使用され、また地下用水タンクから揚水ポンプ１６で汲み上げられて補助タンク３３に貯められた水は、洗車機１５に供給され洗車用水として使用される他、トイレの給水あるいは撒水として使用される。次に、震災時の緊急時において、上水道が断たれても地下上水タンク１８に貯められた水を、手動ポンプ２８で汲み上げ飲料水として使用することができ、また集水装置２７で集められた雨水や上水から補水された地下用水タンク１９の水は、防火用水やトイレ用の水として使用することができる。したがって、防災時に不可欠な防火用水や生活用水を一時的に確保すると共に、地域支援に役立てることができる。また、太陽電池２１の電気をバッテリ２２で蓄電し、インバータ２３で各部に電力が供給されるため、震災等の緊急時に電力の供給が断たれても照明２６、ＰＯＳ端末２５、給油機１４、揚水ポンプ１６を短時間でも使用することが可能になる。さらには、集水装置２７で集めた雨水を洗車水、トイレの給水、撒水に使用したり、洗車機１５の廃水を洗車廃水リサイクルシステム３５で清浄化して再利用することで、水の省資源化を図ることが可能になる。
【００１４】
上記地下上水タンク１８及び地下用水タンク１９の容量は、給油所の規模に応じて任意にでき実施例に限定されない。
【００１５】
【発明の効果】
以上説明したように本発明の給油所では、地下用水タンクは、災害時にその水を手動ポンプで汲み上げ飲料水として使用でき、また地下用水タンクは、災害時に雨水や上水からの不足分の補水を防火用水、生活用水として使用できることで、防災時に不可欠な水を確保し、地域支援に役立てることができ、かつ水の省資源化を図ることができる。
【図面の簡単な説明】
【図１】本発明実施形態の給油所の全体構成を説明する系統図である。
【図２】本発明実施形態の給油所の水供給を中心に説明する詳細系統図である。
【符号の説明】
１０  給油所
１１  敷地
１２  事務所
１３  キャノピ
１４  給油機
１５  洗車機
１６  揚水ポンプ
１７  地下油タンク
１８  地下上水タンク
１９  地下用水タンク
２０  吸入管
２１  太陽電池
２２  バッテリ
２３  インバータ
２４  分電盤
２５  ＰＯＳ端末
２６  照明
２７  集水装置
２８  手動ポンプ
３１  フロート弁
３２  マンホール
３３  補助タンク
３４  圧力センサ
３５  洗車廃水リサイクルシステム
【図１】
0003692513.tif 000002
【図２】
0003692513.tif 000003